(57)【要約】      （修正有）【課題】導体球の前後の転がりで、スイッチ片に接触するか離れるかで、振動モ−タ−を作動させたり、停止させたりする構成で居眠り防止機器を提供する。【解決手段】車を運転中に居眠りに入り頭や姿勢がガックと前方へ前のめりに傾き始めると同時に容器も前方に傾き、内包する導体球Ｃは前に転がり、スイッチ片に接触すると瞬時に振動モ−タ−は作動して、同時に容器全体は共振し始り、容器の外側壁に接触しているこめかみ部分を刺激し共振させ、その刺激、共振が骨伝導で脳中枢を刺激して、ハット目覚めさせると頭や姿勢は立ち直り、居眠りは防止され、同時に容器の傾も立ち直り、導体球は後に転がり、スイッチ片の接触から離れ、スイッチが切になり振動モ−タ−の作動は停止し、正常な運転再開が出来る。【選択図】図６
2010220983.tif 000002
【特許請求の範囲】
【請求項１】
耳に掛けるつるＡと、前記つるＡに取り付ける容器Ｂの内部に、使用者が居眠りに掛り頭や姿勢が前のめりに傾きかかると、導体球Ｃが回路７上を前に転がりスイッチ片２に接触し、瞬時に振動モ−タ−Ｄを作動させ、その振動がこめかみ部分を共振させ、骨伝導で脳中枢を刺激し、頭や姿勢を立ち直らせて居眠りを防止すると同時に、導体球Ｃはスイッチ片２から離れ、前記振動モ−タ−Ｄを停止させる。
電源は、外部に設けた携帯用電源容器Ｅのバッテリ−の電源からコ−ド５によって、前
2010220983.tif 000003
【請求項２】
前記耳掛け防止器を構成する振動モ−タ−Ｄをベル発生器Ｇに取り換えて構成となることを特長とする耳掛け居眠り防止器。
【請求項３】
前々記耳掛け居眠り防止器を構成する導体球Ｃを導体振り子球Ｈに取り換えて構成となることを特長とする耳掛け居眠り防止器。
【請求項４】
前記耳掛け居眠り防止器を構成するベル発生器Ｇを振動モ−タ−Ｄに取り換えて構成となることを特長とする耳掛け居眠り防止器。
【発明の詳細な説明】
【技術分野】
【０００１】  本発明は、車などの運転者に起こる居眠りを骨伝導や耳を通して、脳中枢を刺激し居眠りを防止する耳掛け居眠り防止器に関する。
【背景技術】
【０００２】  従来の耳掛け居眠り防止器には、例えば特開２０００−２９８７８１号公報や特開２００８−１６７７７４号公報がある。これ等の従来の構成は、例えば前者では、振動センサ−の導体通に所定時分継続しないと圧電素子型の発信器が作動しない欠点があり、また、後者では、運転者が居眠りする時間を計らって電源を供給して、一定時間タイム、スイッチをオン、オフを繰り返し振動モ−タ−を作動させ続けて居眠りを未然に防ぐものであるが、運転中は、エンジン音やタイヤ、車体から発する僅かな音や軋み、外からの複雑な発生音を耳で拾い聞きわけて安全運転をするに、発信器を一定時間のタイム、スイッチのオフ、オンで作動し続けると気が散ったりするので安全運転上邪魔になる欠点があった。
【発明の開示】
【発明が解決しようとする課題】
【０００３】  上記の如きことから、本発明は、頭や姿勢がガックと前のめりに傾きかかると、即、導体球が回路上を転がりスイッチ片に接触し、瞬時に振動モ−タ−を作動させ、その振動がこめかみ部分を共振させて、骨伝導で脳中枢を刺激することで、外からの雑音に邪魔されることない本構成の耳掛け居眠り防止器を提供することで解決しようとするのである。
【課題を解決するための手段】
【０００４】  本発明は、上記の課題を解決するために、耳にフックするつるに容器を取り付け、前記容器に、導体球、スイッチ片、振動モ−タ−とで構成する手段と、前記容器に、前記導体球、前記スイッチ片、ベル発生器とで構成する手段、更に、前々記容器に、導体振り子球、スイッチ片、前記ベル発生器とで構成する手段、また、更に、前記容器に、前記導体振り子、前記スイッチ片、前々記振動モ−タ−とで構成する手段で解決するのである。【０００５】  上記課題解決手段による作用は次の通りである。即ち、容器に導体球、スイッチ片、振動モ−タ−とで構成する耳掛け居眠り防止器を使用時、車を運転中に居眠りに入り頭や姿勢がガックと前のめりに傾きかかかると同時に容器も傾き、内包している導体球は回路上を転がりスイッチ片に接触し、スイッチが入り、瞬時に振動モ−タ−が作動して、容器全体が共振し、容器の外側壁に接触しているこめかみ部分を刺激、共振させ、その骨伝導で脳中枢を刺激させ、その脳中枢の刺激でハット目を覚めさせ、同時に頭や姿勢は立ち直り居眠りは防止され、同時に容器も傾が立ち直り、導体球は後に転がり、スイッチ片の接触から離れ、スイッチが切になり、振動モ−タ−の作動は停止するのである。
正常な運転再開が出来る効果を生むのである。
【発明を実施するための最良の形態】
【０００６】  以下、本発明の実施の形態を図１〜図９に基ずいて説明する。
【実施例】
【０００７】１．耳にフックする弾力性の合成樹脂製でＣ字型のつるＡを設け、該つるＡの先端に、合  成樹脂製の容器Ｂを設けて横軸方向に適宜角度で取り付ける。
２．前記容器Ｂの中程に、下記導体球Ｃが前後に転がるに必要な下記底板１を設ける。
３．前記導体球Ｃの前記底板１上の下記回路７上を前後に転がり、該導体球Ｃが下記スイ  ッチ片２に接触したり、離れたりすることでスイッチを形成し、そのスイッチが入り、  切りして、下記振動モ−タ−Ｄを作動させたり、停止させたりする為の前記導体球Ｃと  対となるスイッチ片２を設け、底板１上の傾斜上の内壁側端に取り付ける。
４．前記容器Ｂの底板１の下の内壁に、金属製で設けた半円形の回転板３を回転軸に、フ  ック状のプラグ１０を持った振動モ−タ−Ｄを設ける。
５．下記携帯用電源容器Ｅからの電源を入り、切するスイッチＦを設け、該スイッチＦを  前記容器Ｂの下部外側壁に取り付ける。
６．前記容器Ｂの底板１下の内壁に、前記振動モ−タ−のマイナスの回路のソケット４を  設け、該ソケット４に前記スイッチ片２の回路を接続する。
７．携帯用電源容器Ｅを設け、適宜電圧の電源の充電可能なバッテリ−を収容し、該バッ  テリ−のソケットにコ−ド５のプラグを接続し、他端のプラグは前記容器Ｂのスイッチ  Ｆのソケットに接続する。
８．前記スイッチＦのプラスの回路は、設けたプラスの回路のソケット６に接続し、マイ  ナスの回路は、前記底板１に設けた銅板製の導体球Ｃの剥き出しの回路７に接続する。
９．前記振動モ−タ−Ｄのプラグ１０をソケット４、ソケット６に挿入して取り付ける。
１０．各回路はプリント配線で、各々の部品は整合仕合、良く機能するように設ける。
１１．前記容器Ｂの蓋を閉じる。
以上の如く構成したことを特長とした耳掛け居眠り防止器。【０００８】  以下、上記構成の使用方法を説明する。先ず、寝不足、疲労、早朝、深夜運転、長時間などの車の運転や公共機関に携わるバスの運転者、電車の運転者、航空機のパイロット、航空管制官などで居眠りをするのではないかと思われた時などに、電源のスイッチを入りにして、耳につるを確りと掛ける。
そして、居眠りに入りかかり頭や姿勢が前のめりに傾くと、導体球が回路上を前に転がりスイッチ片に接触すると瞬時に振動モ−タ−は作動して容器は共振し、その共振がこめかみ部分を刺激し、その刺激が骨伝導で、脳中枢を刺激して、ハット目覚めさせ、同時に頭や姿勢の傾きが立ち直り、居眠りは除かれ、同時に導体球は後ろに転がってスイッチ片から離れ、振動モ−タ−の作動は停止する。正常な運転再開の効果を提供できるのである。
なを、実施態様として、１．容器にメガネのつるに取り付けるフックを設け、メガネのつるに直接取り付ける方法。２．つると容器を一体成型で設ける方法。３．電源に単３や単４の電池またはボタン電池を使用する方法。４．ベル発生器をブザ−発生器に取り換える方法。５．振動モ−タ−とベル発生器とを一所に取り付け、どちらかの作動の切り替えを切り替えスイッチでする方法。
【図面の簡単な説明】
【０００９】
【図１】は図２の左側面図
【図２】は本発明の正面図
【図３】は本発明を構成する一部品の正面図
【図４】は発明を構成する一部品の正面図
【図５】は本発明を構成する一部品を欠いた回路図
【図６】は本発明の変形の使用時の状態図
【図７】は本発明の変形の部品取り付け図
【図８】は本発明の変形の一部品の左側面図
【図９】は本発明の変形の一部を欠いた正面図
【符号の説明】
【００１０】Ａ：つる  Ｂ：容器  Ｃ：導体球  Ｄ：振動モ−タ−  Ｅ：携帯用電源容器  Ｆ：スイッチ  Ｇ：ベル発生器  Ｈ：導体振り子球  １：底板  ２：スイッチ片  ３：回転板  ４：ソケット  ５：コ−ド  ６：ソケット  ７：回路  ８：凸起  ９：スイッチ片  １０：プラグ
【図１】
2010220983.tif 000004
【図２】
2010220983.tif 000005
【図３】
2010220983.tif 000006
【図４】
2010220983.tif 000007
【図５】
2010220983.tif 000008
【図６】
2010220983.tif 000009
【図７】
2010220983.tif 000010
【図８】
2010220983.tif 000011
【図９】
2010220983.tif 000012